(57)【特許請求の範囲】
【請求項１】
平面状に折り畳まれたシートを組み立てると正面部材、裏面部材、右側面部材、左側面部材および底面部材を備えた箱状となり、
前記底面部材から前記側面部材の側に延設され当該側面部材を支える側面支持部材を備え、
前記側面部材と、前記側面支持部材とを分離し互いに独立に可動できるように構成することにより、
前記折り畳み状態で、前記正面部材と裏面部材との間に前記側面部材を折り込めるように構成すると共に、前記折り畳まれた前記底面部材の間に前記側面支持部材を折り込めるように構成した、折り畳み容器であって、
組み立て状態では、前記側面支持部材に施された切り込みにより底面向きに凸状に形成されたフックが、前記側面部材に形成された係止部に掛かることにより、当該側面部材に形成された係止部の底面側を容器の外に押すように構成した、折り畳み容器。
【発明の詳細な説明】
【技術分野】
【０００１】
本発明は、折り畳み容器に係り、特に、食品の収納に好適な折り畳み容器に関する。
【背景技術】
【０００２】
この種の容器の一例を図５乃至図７に示す。なお、この図５乃至図７に示す折り畳み容器は、本願の出願前における公知技術ではなく、本願発明への理解を深めるために、比較例としてここに開示するものである。
【０００３】
図５は、容器を構成する部材が平面状に折り畳まれた状態を示している。この容器は、ケーキを入れる箱としてよく知られた形状の箱に組み立てられる。組み立てられる箱の４つの側面を構成する部材をそれぞれ、「正面部材」、「裏面部材」、「右側面部材」、「左側面部材」と呼ぶことにする。また、組み立てられる箱の底面を構成する部材を「底面部材」と呼ぶことにする。また、食品を入れたのち箱に蓋をするが、その蓋を構成する部材を「蓋構成部材」と呼ぶことにする。
【０００４】
図５において、正面部材５１の右側には、右側面部材５２が半分だけ見えている。同様に、正面部材５１の左側には、左側面部材５３が半分だけ見えている。また、正面部材５１の下側には、底面部材５４が半分だけ見えている。また、底面部材５４と右側面部材５２とを連結する位置に、右側面支持部材５５が半分だけ見えている。同様に、底面部材５４と左側面部材５３とを連結する位置に、左側面支持部材５６が半分だけ見えている。また、右側面部材５２の右端部、上下方向略中央には、右側面支持部材５５を係止する支持部材係止部５７が半分だけ見えている。同様に、左側面部材５３の左端部、上下方向略中央には、左側面支持部材５６を係止する支持部材係止部５８が半分だけ見えている。
【０００５】
正面部材５１、右側面部材５２、左側面部材５３、底面部材５４、右側面支持部材５５および左側面支持部材５６は、実際には繋がっており１枚のシートになっている。
【０００６】
この図５を正面図とすると、裏面図の外観は正面図と同一に現れる。ただし、裏面図では、正面部材５１の位置が裏面部材となり、左右の各部材５２，５３，５５，５６および係止部５７，５８は、左右逆に現れる。
【０００７】
裏面図に現れる各部材も正面図に現れる各部材と同様に１枚のシートになっている。そして、正面図に現れる１枚のシートと裏面図に現れる１枚のシートは、右端、左端および下端の各辺において繋がっており、一方、上端の辺では繋がっておらず、これにより袋状になっている。蓋構成部材５９は、図５に二点鎖線で示されており、袋の中に折り込まれて収納されている（ただし、この図５では蓋構成部材５９の存在のみ示し、精密な形状は図示していない）。
【０００８】
この図５の状態において、正面部材５１の幅に対応する長さをＬ１とし、左右の側面部材５２，５３の幅も含めた長さをＬ２とする（Ｌ１＜Ｌ２）。
【０００９】
図５の折り畳まれたシートを組み立てる際は、一点鎖線を山折りにし、点線を谷折りする。すると、袋状のシートが、図６に示す箱型の容器に変形する。蓋構成部材５９も容器の外側に引き出す。
【００１０】
さらに、容器の形状を安定させ強度を出すため、図７に示すように、三角形になった側面支持部材５５，５６の頂点を係止部５７，５８に向けて折り曲げ、その頂点を係止部５７，５８のスリットに挿し込む。ここで、三角形の側面支持部材５５，５６は、２枚のシートが重なって構成されている。そして、容器の内部に食品等の内容物を入れ、蓋構成部材５９をケーキの箱のように閉じれば、容器が完成する。
【００１１】
以上の構造による折り畳み容器は、底面側において容器が密閉されているため、漏れたり溶け出したりする内容物を収納する用途にも好適である。
【００１２】
しかし、折り畳んだ状態においてシートの横幅の寸法が正面部材５１の幅と側面部材５２，５３の幅（箱の奥行に等しい）とを加えたＬ２の寸法となるため、持ち運ぶ際に嵩張るという不都合があり、もっとコンパクトに折り畳むことのできる容器が求められている。
【００１３】
以下の特許文献１に開示された容器にあっても、同文献の図２に示されているように、折り畳まれた状態において、正面部材１２の幅と側面部材１６，２０の幅とを加えた寸法になっており、さらに、組み立てた容器を安定させるための支持部材１１２，１１４が左右に出っ張っているため、持ち運ぶ際に嵩張る不都合がある。
【先行技術文献】
【特許文献】
【００１４】
【特許文献１】特表２００８−５２９９０９号公報
【発明の概要】
【発明が解決しようとする課題】
【００１５】
本発明は、従来よりもコンパクトに折り畳むことのできる容器を提供することを課題とする。
【課題を解決するための手段】
【００１６】
本発明は、平面状に折り畳まれたシートを組み立てると正面部材、裏面部材、右側面部材、左側面部材および底面部材を備えた箱状となる折り畳み容器である。  側面部材と、この側面部材を支える支持部材とを分離して設け、互いに独立に可動できるように構成する。これにより、折り畳み状態で、正面部材と裏面部材との間に側面部材を折り込めるように構成し、また、折り畳まれた底面部材の間に支持部材を折り込めるように構成する。
容器を組み立てる際は、正面部材と裏面部材の間から側面部材を引き出し、また、底面部材の間から支持部材を引き出す。そして、箱型にしたのち、支持部材によって側面部材を支持させる。前述した比較例では、折り畳まれたシートの横幅は、箱の幅の寸法と箱の奥行の寸法とを加えたＬ２になるが、本発明によれば、折り畳まれたシートの横幅は、箱の幅の寸法Ｌ１に抑えられる。
【発明の効果】
【００１７】
したがって、本発明によれば、従来よりもコンパクトに折り畳むことのできる容器を提供することができる。
【図面の簡単な説明】
【００１８】
【図１】本発明の一実施形態である容器の折り畳まれたシートの構成図。
【図２】図１の折り畳まれたシートから容器を組み立てる第１過程を示す構成図。
【図３】図１の折り畳まれたシートから容器を組み立てる第２過程を示す斜視図。
【図４】図１の折り畳まれたシートから組み立てた容器を示す斜視図。
【図５】比較例である容器の折り畳まれたシートの構成図。
【図６】図５の折り畳まれたシートから容器を組み立てる第１過程を示す斜視図。
【図７】図５の折り畳まれたシートから容器を組み立てる第２過程を示す一部省略した斜視図。
【発明を実施するための形態】
【００１９】
以下、本発明の一実施形態を図１乃至図４に基づいて説明する。図１は、本願発明の容器を構成する部材が平面状に折り畳まれた状態を示している。この容器は、ケーキを入れる箱としてよく知られた形状の箱に組み立てられる。組み立てられる箱の４つの側面を構成する部材をそれぞれ、「正面部材」、「裏面部材」、「右側面部材」、「左側面部材」と呼ぶことにする。また、組み立てられる箱の底面を構成する部材を「底面部材」と呼ぶことにする。また、食品を入れたのち箱に蓋をするが、その蓋を構成する部材を「蓋構成部材」と呼ぶことにする。
【００２０】
図１において、方形の正面部材１の下側には、方形の底面部材４が半分見えている。正面部材１の横幅は、箱の幅を決める。また、正面部材１の高さは、箱の高さを決める。底面部材４の幅は、正面部材１の幅に等しい。また、底面部材４の高さは、その２倍の長さが箱の奥行きとなる。正面部材１と底面部材４とは実際には繋がっており、１枚のシートになっている。図１を正面図とすると、裏面図も図１と同一に現れるが、裏面図では正面部材１の部分が裏面部材となる。裏面図に現れる部材も正面図の部材と同様に１枚のシートになっている。
【００２１】
正面側のシートと、裏面側のシートとの間には、２点鎖線で示す右側面部材２、左側面部材３および側面支持部材５，６が、それぞれ屏風状に折り込まれて挟まれている。
【００２２】
右側面部材２は、正面部材１および裏面部材の右端の辺に接続され、正面部材１と裏面部材との間に屏風状に折り込まれている。また、左側面部材３は、正面部材１および裏面部材の左端の辺に接続され、正面部材１と裏面部材との間に屏風状に折り込まれている。左右側面部材２，３の屏風の折り返しは１回だけであり、よって、折り込まれた状態では、左右側面部材２，３は、それぞれ半分の幅に見える。左右側面部材２，３の高さは、正面部材１および裏面部材の高さに等しく、箱の高さを決める。図１における左右側面部材２，３の見かけの幅は、箱の奥行きの半分の長さとなっている。よって、図１における左右側面部材２，３の見かけの幅は、図１における底面部材４の高さに等しい。
【００２３】
側面支持部材５，６は、正面側の底面部材４と、裏面側の底面部材４との間に折り込まれている。側面支持部材５，６の折り込まれた状態での見かけの形状は、図１に２点鎖線で示すように略直角三角形の形をしている。右側の側面支持部材５をなす略直角三角形は、縦の辺が正面のシートおよび裏面のシートの両方において底面部材４の右側の辺に連結しており、略直角三角形の底辺および斜辺は底面部材４とは分離している。同様に、左側の側面支持部材６をなす略直角三角形は、縦の辺が正面のシートおよび裏面のシートの両方において底面部材４の左側の辺に連結しており、略直角三角形の底辺および斜辺は底面部材４とは分離している。
【００２４】
図１に示すように、本実施形態の容器を折り畳んだ状態でのシートの横幅は、正面部材１の横幅に等しいＬ１となっている。本実施形態において、各部材の材質にはポリプロピレンを用いている。
【００２５】
この状態から、左右側面部材２，３および側面支持部材５，６をシートの間から横に引き出すと、図２に示す形状となる。左右側面部材２，３を含むシート全体の横幅はＬ２に拡張される。左右側面部材２，３と、側面支持部材５，６とは、分離されているので、互いに独立して動くことができるようになっている。左右側面部材２，３の横方向の各端部には、その３分の２ほどの高さに、スリット状の支持部材係止部７，８が形成されている。また、側面支持部材５，６には、シートに施した切り込みによって、支持部材係止部７，８に引っ掛けるフックが形成されている。この図２を正面図とすると、裏面図も同一に現れるが、正面部材１は裏面部材に置き換わり、また、左右の各部材２，３，５，６は左右が入れ替わる。図２において、２点鎖線で示したのは、正面のシートと裏面のシートとの間に折り込まれている蓋構成部材９である（図１では蓋構成部材９の図示を省略した）。
【００２６】
この図２に示す状態から、一点鎖線を山折りにし、点線を谷折りにすると、図３に示すような箱型となる。蓋構成部材９も箱の外側に引き出す。そして、側面支持部材５，６を上方に折り曲げ、側面支持部材５，６に形成されたフックを支持部材係止部７，８に引っ掛けると、箱の形状が安定し強度が出る。さらに、蓋構成部材９をケーキの箱のように組み立てれば、図４に示す箱型の容器が出来上がる。
【００２７】
以上説明した本実施形態によると、容器を折り畳んだ状態は図１に示した通りであり、折り畳んだ状態のシートの横幅をＬ１に抑えることができる。背景技術の項で比較例として説明した容器と、本実施形態の容器との大きさが等しい場合、比較例では図５に示した通り、折り畳んだシートの横幅は箱の横幅の寸法に箱の奥行きの寸法を加えたＬ２となるが、本実施形態の容器ならば、箱の横幅の寸法Ｌ１に抑えることができ、コンパクトに折り畳むことができる。よって、持ち運びの際に嵩張る不都合を改善することができる。かつ、簡単に組み立てて容器として用いることができる。
【００２８】
本実施形態による容器は、ポリプロピレン製で繰り返し洗って使用することができ、折りたたんで気軽に携帯できるので、使い捨て容器の廃棄を削減することができ、環境に配慮した容器といえる。食品を入れる使い捨ての樹脂製トレイ、紙箱、紙袋などは不要となる。また、飲食店で食べきれなかった料理を持ち帰るドギーバッグとして利用することができる。また、折りたたみ可能なランチボックスとしても利用できる。
【００２９】
ここで、本願発明は、以上に説明した実施形態に限られるものではない。例えば、蓋をなす部材の構成は上記実施形態に限られない。また、各部材の寸法や形状は種々設定することができる。各部材の材質もポリプロピレンに限らず、他の素材を用いてもよい。
【符号の説明】
【００３０】
１  正面部材
２  右側面部材
３  左側面部材
４  底面部材
５，６  側面支持部材
７，８  支持部材係止部
９  蓋構成部材
【図１】
0005555664.tif 000002
【図２】
0005555664.tif 000003
【図３】
0005555664.tif 000004
【図４】
0005555664.tif 000005
【図５】
0005555664.tif 000006
【図６】
0005555664.tif 000007
【図７】
0005555664.tif 000008